(57)【要約】【課題】携帯無線機の状態（例えば、二つ折りやスライド形状の携帯無線機の開/閉、携帯無線機の角度）により、アンテナの性能が変化する場合に於いても、携帯無線機のアンテナから出力される送信レベルを一定に保つことを目的とする。例えば、ＦＭトランスミッタの様な微弱電波の場合には、携帯無線機の状態によりアンテナ性能が変化する場合、微弱電波の規格を守り、送信距離を最大限に確保するためには、携帯無線機から出力されるレベルを一定に保つことが重要である。【解決手段】携帯無線機７の開閉状態を、検出回路１にて検知する（例えば、ホールＩＣと磁石８との接触の有無により、携帯無線機の開閉状態を検知する）。制御部２は、検出回路１で検出された開閉情報を基に送信機５の出力レベルを可変に制御し、携帯無線機７のアンテナ６から送信されるレベルを、携帯無線機の開閉状態に拘らず、一定値に保つ。【選択図】図１
2008294534.tif 000002
【特許請求の範囲】
【請求項１】
送信機能を有する携帯無線機において、
アンテナに接続された送信機と、
前記携帯無線機の状態を検出する検出回路と、
前記検出回路が検出した前記携帯無線機の状態に応じて前記送信機の出力レベルを可変する機能を有する制御部とを備えたことを特徴とする、
携帯無線機。
【請求項２】
請求項１記載の携帯無線機であって、
前記携帯無線機は、開状態と閉状態とから成る形態を有し、
前記検出回路は、前記携帯無線機の開閉状態を検出するホールＩＣと磁石とによって構成されていることを特徴とする、
携帯無線機。
【請求項３】
請求項１記載の携帯無線機であって、
前記検出回路は、前記携帯無線機の傾きを検出する加速度センサにより構成されていることを特徴とする、
携帯無線機。
【発明の詳細な説明】
【技術分野】
【０００１】
この発明は、携帯無線機に関する。
【背景技術】
【０００２】
図５は、従来技術に係る携帯無線機の構成を模式的に示すブロック図である。図５に於いて、アンテナ利得が携帯無線機７の開閉状態で異なるため（閉状態時のアンテナ利得Ａ、開状態時のアンテナ利得Ｂ）、送信機５からの出力レベルが一定であれば、アンテナ利得の差異により、携帯無線機７の出力レベルが開閉状態により異なる。即ち、閉状態では、アンテナ６からの出力レベルはＸ＋Ａとなる一方、開状態では、アンテナ６からの出力レベルはＸ＋Ｂとなる。
【０００３】
又、携帯無線機７が傾斜している場合に於いても、その傾斜角度に応じて、アンテナ利得が異なる。
【０００４】
又、特許文献１では、無線システムによって、送信レベルを制御している。
【０００５】
又、特許文献２では、携帯無線機の傾斜角度に応じて、アンテナの角度や整合を変え、あるいはアンテナを切り替えることで、最適な偏波面や指向性を得て、良好なアンテナ性能を得ている。
【０００６】
【特許文献１】特開平７−７４６６８号公報
【特許文献２】特開２００１−２７４６１６号公報
【発明の開示】
【発明が解決しようとする課題】
【０００７】
特許文献１等に開示された様な従来技術は、無線システムに対応した送信レベルの制御を行っているので、携帯無線機の状態に応じたアンテナの性能により、携帯無線機から出力されるレベルが変化する点では、効果はない。
【０００８】
この発明は、斯かる技術状況に鑑みて成されたものであり、携帯無線機の状態によるアンテナの性能の変化（例えば、二つ折りやスライド形状の携帯無線機の開閉や、携帯無線機の角度の変化による、アンテナ性能の変化）により、携帯無線機のアンテナから出力される送信機の出力レベルが携帯無線機の状態により変化することに対応可能な携帯無線機を提供することを、その目的とする。即ち、本発明は、携帯無線機の状態を検出し、携帯無線機の状態に応じて、送信機の出力レベルを可変にし、携帯無線機のアンテナから出力される送信レベルを一定に保つことを、その目的とする。
【課題を解決するための手段】
【０００９】
本発明の主題に係る携帯無線機では、アンテナ性能が携帯無線機の状態で変化するため、携帯無線機の状態（例えば、携帯無線機の開/閉、携帯無線機の角度）を検出回路で検知して、制御部に於いて、検出回路によって検出された携帯無線機の状態に応じて、送信機の送信レベルを決定し、送信機からの出力レベルを可変して、携帯無線機のアンテナから送信されるレベルを一定に保つことを可能とする。
【００１０】
以下、この発明の主題の様々な具体化を、添付図面を基に、その効果・利点と共に、詳述する。
【発明の効果】
【００１１】
本発明の主題によれば、携帯無線機の状態によらず、携帯無線機から出力される送信出力のレベルを一定に保つことが出来る。例えば、ＦＭトランスミッタの様な微弱電波では、携帯無線機から送信される出力レベルを一定に保ち、微弱電波の規格を守りつつ、送信距離を最大限に確保することが可能となる。加えて、本発明の主題によれば、 携帯無線機の送信機の出力レベルを可変することにより、電池の消耗を抑えることが可能となる。
【発明を実施するための最良の形態】
【００１２】
（実施の形態１）
本実施の形態に係る携帯無線機の特徴点は、アンテナ性能が携帯無線機の状態で変化する場合に、携帯無線機の状態（例えば、二つ折りやスライド形状の携帯無線機の開/閉、携帯無線機の角度）に応じて送信機の出力レベルを可変として、携帯無線機のアンテナから出力される送信レベルを一定に保つ機能を有する点にある。本携帯無線機の特徴点により、例えば、ＦＭトランスミッタの様な微弱電波の送信レベルを、携帯無線機の状態如何に拘らず、一定に保ち、微弱電波の規格を守りつつ、送信距離を最大限に確保することが可能となる。以下、本実施の形態に係る携帯無線機の上記特徴点を、図面に基づいて説明する。
【００１３】
図１は、本実施の形態に係る携帯無線機の構成を模式的に示すブロック図である。図１に於いて、検出回路１は、携帯無線機７の開閉状態を検出する機能を有しており、その機能を担う部分が後述する通りホールＩＣ３である。又、図２は、本実施の形態に係る携帯無線機の機能のイメージを模式的に示す図である。
【００１４】
携帯無線機７が開閉状態を持つ様な形状（例えば、二つ折り型又はスライド型：図３参照。）の場合には、ＦＭトランスミッタのアンテナ効率が、携帯無線機７の開閉状態により、異なる。そのため、対策として、検出回路１は、携帯無線機７の開閉状態を検知して、開閉状態を示す検出結果を制御部２に送信し、制御部２は、開閉検知の結果に応じて送信機５のレベルを可変して、携帯無線機７のアンテナ６から出力されるレベルを一定に保つ。例えば、ＦＭトランスミッタのアンテナ利得Ａ（携帯無線機閉状態）、アンテナ利得Ｂ（携帯無線機開状態）の性能の携帯無線機７に於いて、制御部２は、携帯無線機７が開閉どちらの状態にあるかを、検出回路１（例えば、ホールＩＣ３）から送信されて来る開閉検知の情報を受信することにより検出し、当該検出結果に応じて送信機５の出力レベルを可変とする。即ち、携帯無線機７が現在、閉状態にある時には、その検出結果に応じて、制御部２は、送信機５の出力レベルをＸ−Ａに設定し、他方、携帯無線機７が開状態にある時には、その検出結果に応じて、制御部２は、送信機５の出力レベルをＸ−Ｂのレベルに設定する（図２）。この開閉状態に応じた可変機能により、アンテナ６からの無線信号の出力時にアンテナ６の利得分が相殺されて、携帯無線機７のアンテナ６の出力レベルは、携帯無線機７の開閉状態によらずに、一定値Ｘとなる。
【００１５】
尚、ホールＩＣ３による携帯無線機７の開閉検知に関しては、図３に示す様に、例えば携帯無線機７が二つ折形状や、スライド形状の場合に、磁石８とホールＩＣ３とを利用して、ホールＩＣ３に磁石８が近づき対向状態となるか否か（ホールＩＣと磁石８との接触の有無）により、携帯無線機７が開状態であるか、閉状態であるかを検出する。この様に、携帯無線機７の開閉検知を担う検出部を、携帯無線機７に設けられたホールＩＣ３と磁石８とで構成しているので、容易に携帯無線機７の開閉状態を検出することが出来る。
【００１６】
以上より、本実施の形態に係る携帯無線機によれば、特許文献１の先行技術とは異なり、携帯無線機７の開閉状態に伴うアンテナ性能の差異に応じて、携帯無線機７のアンテナ６から出力される送信機５の出力レベルを可変することとしているので、例えばＦＭトランスミッタの様な微弱電波の送信レベルを携帯無線機７の開閉状態に拘らず一定に保ち、微弱電波の規格を守り、送信距離を最大限に確保することが可能となる。
【００１７】
（実施の形態２）
検知回路１として加速度センサ４を用いて、携帯無線機の角度により、アンテナ性能を可変させる形態について、図４のブロック図に基づいて説明する。
【００１８】
携帯無線機７がある角度(例えば、携帯無線機７が横向き又は縦向き)でアンテナ性能が異なる場合に、その対策として、携帯無線機７の状態を検知して、その検知結果に基づき送信機５の出力レベルを可変し、携帯無線機７のアンテナ６から出力される信号レベルを一定に保つ。例えば、ＦＭトランスミッタのアンテナ利得Ｃ（携帯無線機横向き状態）、アンテナ利得Ｄ（携帯無線機縦向き状態）の性能の携帯無線機７に於いて、制御部２は、検出回路１（例えば、加速度センサ４）から送信されて来る携帯無線機７の角度情報を受信し、その角度に応じて、送信機５の出力レベルを可変する。携帯無線機７が横向き状態にある時の送信機５の出力レベルをデフォルト値Ｙ−Ｃとして設定し、携帯無線機７が縦向き状態にある時には送信機５の出力レベルをデフォルト値Ｙ−Ｄの出力レベルに設定する。この様な携帯無線機７の角度情報に応じた送信機５の出力レベルの設定により、携帯無線機７のアンテナ６の出力レベルは、携帯無線機７の状態によらず、一定値Ｙとなる。
【００１９】
以上の通り、本実施の形態によれば、特許文献２の先行技術とは異なり、携帯無線機７の角度状態に応じてアンテナ性能が異なる場合に於いても、加速度センサ４による携帯無線機７の角度情報に応じて送信機５の出力レベルを最適に可変設定するだけで、携帯無線機７の角度状態如何に拘らず、携帯無線機７のアンテナ６の出力レベルを一定値に保つことが可能となる。
【００２０】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００２１】
本発明は、例えば、携帯電話機に適用して好適である。
【図面の簡単な説明】
【００２２】
【図１】実施の形態１に係る携帯無線機の構成を模式的に示すブロック図である。
【図２】実施の形態１に係る携帯無線機の機能のイメージを模式的に示す図である。
【図３】ホールＩＣによる、開閉検知のイメージを模式的に示す図である。
【図４】実施の形態２に係る携帯無線機の構成を模式的に示すブロック図である。
【図５】従来技術に係る携帯無線機の構成を模式的に示すブロック図である。
【符号の説明】
【００２３】
１  検出回路、２  制御部、３  ホールＩＣ、４  加速度センサ、５  送信機、６  アンテナ、７  携帯無線機、８  磁石。
【図１】
2008294534.tif 000003
【図２】
2008294534.tif 000004
【図３】
2008294534.tif 000005
【図４】
2008294534.tif 000006
【図５】
2008294534.tif 000007